(57)【要約】【課題】簡単な構成により、蓋の開口程度を蛇腹構造で調整することができるようにした収納ケースを提供する。【解決手段】  構成している位置調整部分１１の両端は、ケース部分１２と蓋部分１３にそれぞれ接合されており、位置調整部分１１は柔軟性のある材質の蛇腹構造で構成されていて、必要に応じケース部分１２と蓋部分１３も同様に柔軟性のある材質の蛇腹構造とする。  蓋部分１３をケース部分１２に対して移動させて、ケース部分１２と蓋部分１３との間にある収納空間１４の位置と容量を調整できるようにする。【選択図】図１
2018184210.tif 000002
【特許請求の範囲】
【請求項１】
構成している位置調整部分の両端はケース部分と蓋部分にそれぞれ接合されており、少なくとも前記ケース部分と前記蓋部分以外の前記位置調整部分が柔軟性のある材質の蛇腹構造で構成されていて、前記蓋部分を前記ケース部分に対して移動させることにより、前記ケース部分と前記蓋部分の間にできる収納空間の位置と容量を調整できることを特徴とする、収納ケース。
【請求項２】
前記位置調整部分が、２個以上、前記ケース部分と前記蓋部分に並列と直列の組合せで接合されていることを特徴とする、請求項１に記載の収納ケース。
【請求項３】
前記位置調整部分の一部に、配線などの長い物を巻き取る部分を含んでいることを特徴とする、請求項１または２に記載の収納ケース。
【請求項４】
前記位置調整部分に中空部分を設け、この中空部分の空気の出入口とその出入り口を封じるためのキャップとその保持具を有することを特徴とする、請求項１から３に記載の収納ケース。
【発明の詳細な説明】
【技術分野】
【０００１】  本発明は、蛇腹構造を組み合わせた収納ケースに関するものである。
【背景技術】
【０００２】  従来、コードなどの収納ケースにおいて、多くの部品で構成させることによりコードを収納したり、簡単な構造であるけれど、多少、力を入れなければ蓋を開閉しづらい構造で構成されているものがある。【０００３】  例えば、特許文献１においては、複数のドラムの部品で構成させて巻き取れるようにした収納ケースが開示されている。このような構成の収納ケースによれば、様々な太さの電源コードを収納することができる。【０００４】  また、特許文献２においては、柔軟性のあるドーム型の被せ蓋を使用して収納部の開放と閉鎖をして収納するものが開示されている。
【先行技術文献】
【０００５】
【特許文献１】特開平１１−３３５００５号公報
【０００６】
【特許文献２】特開２００１−３０２１０４号公報
【発明の概要】
【発明が解決しようとする課題】
【０００７】  しかしながら、特許文献１による収納ケースにおいては、様々な太さの電源コードに対応して収納することは可能であるが、構成する部品数を多くする必要がある。このため、製造費用が増し、複雑化する。また、特許文献２による収納ケースにおいては、部品点数は少ないが、柔軟性のあるドーム型の被せ蓋を反転させるときに力が必要である。【０００８】  本発明は、以上の点に鑑み、簡単な構成と操作にて、負担が少ない方法で蓋の開け閉めを行うことができるようにした収納ケースを提供することを目的としている。
【課題を解決するための手段】
【０００９】  上記目的は、本発明によれば、位置調整部分とケース部分および蓋部分を含んでおり、位置調整部分は、柔軟性のある材質の蛇腹構造で構成されていて、蛇腹構造を伸縮させることで長さを変え蓋部分の位置を調整でき、ケース部分と蓋部分はそれぞれ、位置調整部分の両端に接合されており、位置調整部分の長さを調整することでケース部分と蓋部分の距離、すなわち蓋の開放度合いを調整できることを特徴とする収納ケースにより達成される。【００１０】  本発明による収納ケースは、好ましくは、一体成形により部品点数が低減されるように形成されている。
本発明による収納ケースは、好ましくは、収納ケースの収納空間を広くとれるようにするため、位置調整部分を出来る限り体積が少ない造りとする。
本発明による収納ケースは、好ましくは、位置調整部分のみならずでケース部分と蓋部分も蛇腹構造で構成されている。
本発明による収納ケースは、好ましくは、材料が柔軟性のある合成ゴムなどのエラストマー類で構成されている。
本発明による収納ケースは、好ましくは、蓋を閉鎖した時にケース部分と蓋部分が外れにくいよう仮固定できる構造で構成されている。
【発明の効果】
【００１１】  上記構成によれば、位置調整部分は柔軟性のある材質の蛇腹構造として、これを伸縮することにより、可動する蓋部分がケース部分に対して任意の位置に移動する。これにより、伸び縮みさせる簡単な操作にて、開放される蓋部分とケース部分との間にできる空間の大きさを調整して、蓋部分を開閉できる。【００１２】  そして、位置調整部分の使用方法として、例えばコードなどの配線を位置調整部分に巻きつけるための巻取り部分を設けて収納することができる。
また、位置調整部分のみならずケース部分と蓋部分にも蛇腹構造を持たせることによって伸縮させることで、収納空間が調整され、巻きつける配線の太さと長さにも対応することができる。【００１３】  このようにして、本発明によれば、簡単な構造、かつ、少量の部品の構成により、簡潔に太さも長さも異なる配線等の長い物を収められる収納ケースを提供することができる。
【図面の簡単な説明】
【００１４】
【図１】本発明による収納ケースの一実施形態の構成を示す開放時の概略斜視図である。
【図２】図１の収納ケースの断面図である。
【図３】図１の収納ケースの閉鎖時の概略斜視図である
【図４】図３の収納ケースの断面図である。
【図５】位置調整部分に中空部分を持たせた本発明による収納ケースの一実施形態の構成を示す開放時の概略斜視図である。
【図６】図５の収納ケースの断面図である。
【図７】位置調整部分が２つ直列につながった部品を、２個並列に配置された本発明による収納ケースの一実施形態の構成を示す開放時の概略斜視図である。
【発明を実施するための形態】
【００１５】  以下、図面に示した実施形態に基づいて本発明を詳細に説明する。
図１から図４は、本発明による収納ケースの一実施形態の構成を示している。
本収納ケースは、位置調整部分１１、及び、ケース部分１２、及び、蓋部分１３を主として構成されている。
【００１６】  位置調整部分１１の両端は、それぞれケース部分１２と蓋部分１３とに接合されており、位置調整部分１１は柔軟性のある材質の蛇腹構造で構成されていて、蓋部分１３をケース部分１２に対して移動させ、ケース部分１２と蓋部分１３の間に設ける収納空間１４が利用できるように配置されている。
ここで、位置調整部分１１に配線等の巻き取りのための機能を含めるときは位置調整部分１１の一部に巻取り部分１０を設ける。また、この巻取り部分１０は蛇腹構造の有無を問わない。
【００１７】  図１および図２において、本収納ケースは一体成形が望ましいが、一体成形ではない場合は位置調整部分１１及びケース部分１２並びに位置調整部分１１及び巻取り部分１０の接合部分は、位置調整部分１１と一体成形で作製し、更にこの部品の両端にケース部分１２と蓋部分１３とを接合して収納ケースを構成するものとする。
【００１８】  収納物としてコード類の長い物を収める場合、コード類を巻取り部分１０に巻き付けていく。
実施例として、このときコード先のコネクタなどの部分は敢えて収納ケースの外部に出して巻きつけ、この状態で蓋部分１３をケース部分１２側の方向に押して閉じるが蓋部分１３は柔軟性のある材質を利用するため曲がるので、ケース部分１２と蓋部分１３との間にコードが挟まれても隙間ができるので、蓋部分１３を閉じることができる。
【００１９】  さらに、コード類を取り出す場合、図３および図４において、蓋部分１３の反対側から巻取り部分１０を押すことで、蓋部分１３を開くことができて、収まっているコード類はとぐろ状になっているが、蓋部分１３は柔軟性があり曲がる材質のためコード類を巻き取った状態でそのまま外へ取り出せる。
【００２０】  図５および図６は、本発明による収納ケースの別の一実施形態の構成を示している。
位置調整部分１１に中空部分１８をつくり、この中空部分１８と外部とをつなぐ空気穴１５及び、これを閉じるためのキャップ１６及び保持するためのキャップ保持部１７で構成されている。
【００２１】  本実施例は位置調整部分１１だけでなくケース部分１２と巻取り部分１０も中空構造としている。
【００２２】  位置調整部分１１を伸ばした状態、すなわち蓋部分１３が開いた状態でキャップ１６を空気穴１５に挿して塞ぐと、中空部分１８の中の空気は逃げないので位置調整部分１１は伸びたままの状態でロックされる。
【００２３】  逆に、位置調整部分１１を縮めた状態、すなわち蓋部分１３が閉じた状態でキャップ１６を空気穴１５に挿して塞ぐと、中空部分１８の中の空気は逃げないので位置調整部分１１は縮んだ状態でロックされる。
【００２４】  また、蓋部分１３を閉じたときにロックする方法として、蓋部分１３とケース部分１２に、それぞれ凸と凹の引掛け構造を作る、または、設計時に寸法を調整して蓋部分１３とケース部分１２との間の摩擦力が高くなるようにすることも選択できる。
【００２５】  図７は、本発明による収納ケースのさらに別の一実施形態の構成を示している。
ここの位置調整部分１１は蛇腹構造の部品を直列にして２個分をつなげ、且つ、このつながった部品を２個並列に使用されているものである。
【００２６】  これは段階的に開く度合いを変えられ、蛇腹構造の特性によって蓋部分１３の傾きも自由に調整できる収納ケースである。
【産業上の利用可能性】
【００２７】  本発明はその趣旨を逸脱しない範囲において様々な形態で実施することができる。
例えば、図１から図４に示した位置調整部分１１においては、伸縮可能な蛇腹構造を備えているが、これに限らず、ケース部分１２と蓋部分１３にもこの蛇腹構造を付加することで、収納空間１４には配線や紐などの更に長く太い、長い物を巻き取れるようにできる。【００２８】  上述した実施形態とは別の利用形態として、図５および図６に示した通り位置調整部分１１に中空部分１８をつくり、外部と中空部分１８との間に空気穴１５とキャップ１６のある構造を持たせ、蛇腹を伸ばした状態と閉じた状態でキャップ１６をすることによって中空部分１８に閉じ込められた空気が蛇腹を固定して位置調整部分１１の伸縮を一時的に止められるようにする。【００２９】  また、前例の作り以外にも、図７のように蛇腹構造の部品を直列につなげた位置調整部分１１を複数、並列に備えることで、ケース部分１２と蓋部分１３の間に物入れの空間を設け、蓋部分１３を開いたときに蓋部分１３がケース部分１２から離れて無くならないようにするため保持する機能も兼ねさせる。加えて、蓋の開口度合いを調整し蓋の角度も蛇腹構造の性質によりに変えることができる。【００３０】  以上述べたように、本発明によれば、簡単な構成により、蛇腹を伸縮させて蓋の開閉を調整することができるようにした収納ケースが提供される。
【符号の説明】
【００３１】Ｏ      位置調整部分の軸
１０    巻取り部分
１１    位置調整部分
１２    ケース部分
１３    蓋部分
１４    収納空間
１５    空気穴
１６    キャップ
１７    キャップ保持部
１８    中空部分
【図１】
2018184210.tif 000003
【図２】
2018184210.tif 000004
【図３】
2018184210.tif 000005
【図４】
2018184210.tif 000006
【図５】
2018184210.tif 000007
【図６】
2018184210.tif 000008
【図７】
2018184210.tif 000009